(57)【要約】【課題】前枠の端部の上下中央位置におけるスペースを確保しつつ、不正解錠され難い遊技機のガラス枠用施錠装置を提供する。【解決手段】前枠１２に対して回動可能に取付けられたガラス枠１３を施錠・解錠する遊技機のガラス枠用施錠装置２であって、外枠１１に移動可能に取付けられるガラス枠用作動杆３ａと、前枠１２に移動可能に取付けられる一対のガラス枠用鉤部材３ｃと、ガラス枠１３に固定される一対のガラス枠用受部材３ｄとを有している。ガラス枠用作動杆３ａがシリンダ錠４の錠軸４ａに連動するカム４ｂによってスライドし、ガラス枠用作動杆３ａによって一対のガラス枠用鉤部材３ｃを移動させる構成になっている。【選択図】図４
2008284196.tif 000002
【特許請求の範囲】
【請求項１】
遊技機の外枠に回動可能に取付けられた前枠に対して回動可能に取付けられたガラス枠を施錠・解錠する遊技機のガラス枠用施錠装置であって、
前記外枠に移動可能に取付けられるガラス枠用作動杆と、前記前枠に移動または傾動可能に取付けられる一対のガラス枠用鉤部材と、前記ガラス枠に固定されかつ前記各ガラス枠用鉤部材が掛け止められる一対のガラス枠用受部材とを有し、前記ガラス枠用作動杆がシリンダ錠の錠軸に連動するカムによってスライドし、前記ガラス枠用作動杆によって前記一対のガラス枠用鉤部材を移動または傾動させる構成になっていることを特徴とする遊技機のガラス枠用施錠装置。
【請求項２】
請求項１に記載のガラス枠用施錠装置を有する遊技機用施錠装置であって、
ガラス枠に取付けられるシリンダ錠を有し、
前記ガラス枠を前枠に対して閉じた位置とし、かつ前記前枠を外枠に対して閉じた位置とした状態において、前記シリンダ錠の錠軸を回動させて、前記錠軸に固定されたカムによってガラス枠用作動杆をスライドさせる構成になっていることを特徴とする遊技機用施錠装置。
【請求項３】
請求項１に記載のガラス枠用施錠装置と、遊技機の外枠に回動可能に取付けられた前枠を施錠・解錠する前枠用施錠装置とを有する遊技機用施錠装置であって、
前記前枠用施錠装置は、前記外枠に移動または傾動可能に取付けられる前枠用鉤部材と、前記前枠に固定されかつ前記鉤部材が掛け止められる前枠用受部材とを有し、
前記前枠用受部材にガラス枠用鉤部材が移動または傾動可能に設けられ、これらが一体に前記前枠に取付けられる構成になっていることを特徴とする遊技機用施錠装置。
【発明の詳細な説明】
【技術分野】
【０００１】
本発明は、遊技機の遊技盤が取付けられた前枠に対して回動可能に取付けられたガラス枠を施錠・解錠するガラス枠用施錠装置と、該装置に加えて前枠用施錠装置を有する遊技機用施錠装置に関する。
【背景技術】
【０００２】
遊技機のガラス枠用施錠装置は、従来例えば、外枠に移動可能に設けられる長尺状のガラス枠用作動杆と、前枠に設けられるガラス枠施錠具を有しており、ガラス枠施錠具によってガラス枠を前枠に施錠している（特許文献１）。そしてガラス枠用施錠装置は、シリンダ錠の錠軸に連動させてガラス枠用作動杆を移動させることでガラス枠施錠具を解錠する構成になっている。しかしガラス枠施錠具は、前枠の端部の上下中央位置を施錠する構成であって、中央位置のスペースを確保できず、しかも一箇所を施錠するために不正解錠の心配がある。
【特許文献１】特開２００６−２３０６９６号公報
【発明の開示】
【発明が解決しようとする課題】
【０００３】
そこで本発明は、前枠の端部の上下中央位置におけるスペースを確保しつつ、不正解錠され難い遊技機のガラス枠用施錠装置を提供することを課題とする。
【課題を解決するための手段】
【０００４】
前記課題を達成するために本発明は、各請求項に記載の通りの構成を備える施錠装置であることを特徴とする。すなわち請求項１に記載の発明によると、外枠に移動可能に取付けられるガラス枠用作動杆と、前枠に移動または傾動可能に取付けられる一対のガラス枠用鉤部材と、前記ガラス枠に固定されかつ前記各ガラス枠用鉤部材が掛け止められる一対のガラス枠用受部材とを有している。そしてガラス枠用作動杆がシリンダ錠の錠軸に連動するカムによってスライドし、ガラス枠用作動杆によって一対のガラス枠用鉤部材を移動または傾動させる構成になっている。
【０００５】
したがって一対の鉤部材と受部材によってガラス枠を前枠に対して施錠する。そのため一対の鉤部材を前枠の上部と下部に設けることでガラス枠を前枠に対して安定良く施錠すると同時に、前枠の端部の上下中央位置におけるスペースを確保することができる。かくして遊技盤等の前枠への設置がしやすくなる。またガラス枠は、前枠に対して一対の鉤部材と受部材によって施錠されるために、一つのガラス枠施錠具によって施錠される従前のものに比べて不正解錠され難い。
【０００６】
請求項２に記載の発明によると、ガラス枠に取付けられるシリンダ錠を有している。そしてガラス枠を前枠に対して閉じた位置とし、かつ前枠を外枠に対して閉じた位置とした状態において、シリンダ錠の錠軸を回動させて、錠軸に固定されたカムによってガラス枠用作動杆をスライドさせる構成になっている。ところでガラス枠は、遊技機の部品が多く装着される前枠や外枠に比べて取付けられる部品点数が少ない。そのためガラス枠にシリンダ錠を取付けやすく、そして前枠等には遊技機の部品を組付け易い。
【０００７】
請求項３に記載の発明によると、ガラス枠用施錠装置と前枠用施錠装置を有している。前枠用施錠装置は、外枠に移動または傾動可能に取付けられる前枠用鉤部材と、前枠に固定されかつ鉤部材が掛け止められる前枠用受部材とを有している。そして前枠用受部材にガラス枠用鉤部材が移動または傾動可能に設けられ、これらが一体に前枠に取付けられる構成になっている。
【０００８】
したがって前枠用施錠装置の一構成部品である前枠用受部材と、ガラス枠用施錠装置の一構成部品であるガラス枠用鉤部材とを一体に前枠に取付けることができる。そして本施錠装置は、従前にない構成部品から構成されているために、前枠用受部材とガラス枠用鉤部材が一体化され得る構成になっている。
【発明を実施するための最良の形態】
【０００９】
本発明の実施形態を図１〜７にしたがって説明する。施錠装置１は、図１に示すようにパチンコ機またはスロット機等の遊技機１０に組付けられる。遊技機１０は、外枠１１と前枠１２とガラス枠１３を有している。
【００１０】
外枠１１は、図１に示すように矩形状であって、上下左右の枠部材１１ａ〜１１ｄと、下部前面を構成する幕板１１ｅを有している。上下の枠部材１１ａ，１１ｂと幕板１１ｅは、木製であり、左右の枠部材１１ｃ，１１ｄは、金属製（例えばアルミニウム製）である。幕板１１ｅの前面には、樹脂製の幕板飾り１１ｆが取付けられる。前枠１２は、樹脂製または木製であって中央部に開口窓１２ａを有し、図示省略の遊技盤が装着される。前枠１２の左側上部と下部には、ヒンジ部材１５が取付けられ、ヒンジ部材１５が外枠１１の左側上部と下部に設けられたヒンジ部材１４に回動可能に取付けられる。したがって前枠１２は、外枠１１に対して開いた位置と閉じた位置との間で回動する。そして前枠１２は、閉じた位置において前枠用施錠装置２によって施錠される。
【００１１】
ガラス枠１３は、図１に示すように樹脂製の枠体１３ａと、枠体１３ａの中央に取付けられたガラス板１３ｂを有している。前枠１２の左側の上部と下部には、ヒンジ部１６が形成されており、ヒンジ部１６が前枠１２のヒンジ部材１５に回動可能に取付けられる。したがってガラス枠１３は、前枠１２に対して開いた位置と閉じた位置との間で回動する。そしてガラス枠１３は、閉じた位置にてガラス枠用施錠装置３によって施錠される。
【００１２】
施錠装置１は、図１に示すように前枠用施錠装置２とガラス枠用施錠装置３とシリンダ錠４を有している。前枠用施錠装置２は、外枠１１に装着される外枠施錠具１ａの一部構成部品と、前枠１２に装着される前枠施錠具１ｂの一部構成部品から構成される。これに対してガラス枠用施錠装置３は、外枠施錠具１ａの一部構成部品と、前枠施錠具１ｂの一部構成部品と、ガラス枠１３に装着されるガラス枠用受部材３ｄから構成される。
【００１３】
外枠施錠具１ａは、図２に示すように前枠用施錠装置２の構成部品として前枠用作動杆２ａと一対の前枠用鉤部材２ｂを有している。そしてガラス枠用施錠装置３の構成部品としてガラス枠用作動杆３ａを有している。外枠施錠具１ａは、外枠１１の枠部材１１ｄの枠内側面に装着される補強枠部材１１ｆを介して外枠１１に取付けられる。前枠用鉤部材２ｂは、補強枠部材１１ｆの上部と下部に傾動可能に取付けられる。前枠用鉤部材２ｂは、図３，４に示すように手前部に前枠用受部材２ｃに掛け止められる鉤部２ｂ１を有しており、図２に示すように奥側部に連結片２ｂ２を有している。連結片２ｂ２は、前枠用作動杆２ａの孔２ａ１に挿通され、前枠用作動杆２ａに連結される。前枠用作動杆２ａは、長尺状であって、補強枠部材１１ｆに上下に移動可能に取付けられる。そして上下に移動することで一対の前枠用受部材２ｃを上下に傾動させる。
【００１４】
前枠用作動杆２ａには、図２に示すように手前側に張出す力受部２ａ２が形成されている。力受部２ａ２は、図４に示すシリンダ錠４の錠軸４ａに固定されたカム４ｂの下側位置に張出しており、回動したカム４ｂによって下方に押され得る。前枠用作動杆２ａとガラス枠用作動杆３ａの間には、スプリング７が装着されており、スプリング７によって前枠用作動杆２ａが上方に付勢されている。したがって前枠用作動杆２ａは、力受部２ａ２が下方に押されることでスプリング７に抗して下方に移動し、一対の前枠用鉤部材２ｂを傾動させる。
【００１５】
ガラス枠用作動杆３ａは、図２に示すように長尺状であって、補強枠部材１１ｆに上下動可能に取付けられる。ガラス枠用作動杆３ａの上部と下部には、手前側に張出す力付与部３ａ１が設けられている。ガラス枠用作動杆３ａの下寄り位置には、手前側に張出す力受部３ａ２が設けられている。力受部３ａ２は、図４に示すカム４ｂの上側位置に張出しており、回転したカム４ｂよって押し上げられ得る。したがってガラス枠用作動杆３ａは、力受部３ａ２が押し上げられることで図２に示すスプリング７に抗して上方に移動し、力付与部３ａ１によってガラス枠用鉤部材３ｃを押し上げる。
【００１６】
補強枠部材１１ｆの枠内側面は、図２に示すように雄雌施錠装置５の雄部材５ａが取付けられる。雄部材５ａは、図４に示すようにシリンダ錠４に設けられた雌部材４ｃに挿入され、雌部材４ｃに設けられた抜止機構によって抜止される。そしてこの抜止機構は、シリンダ錠４の錠軸４ａを回転させることで雄部材５ａを解放する構成になっている。したがって雄雌施錠装置５は、前枠１２を外枠１１に対して閉じた位置にすることで施錠状態になり、シリンダ錠４の錠軸４ａを回転させることで解錠状態になる。
【００１７】
補強枠部材１１ｆは、図２に示すように枠部材１１ｄの枠内側面に取付けられ、補強枠部材１１ｆと枠部材１１ｄの間の上部と下部には、ボス部材１１ｇ，１１ｈが固定される。そしてボス部材１１ｇ，１１ｈは、図１に示している上下の枠部材１１ａ，１１ｂにほぞ嵌合される。
【００１８】
前枠施錠具１ｂは、図５に示すように前枠用施錠装置２の構成部品である前枠用受部材２ｃと、ガラス枠用施錠装置３の構成部品であるガラス枠用鉤部材３ｃを一体に有している。前枠用受部材２ｃは、金属板製であって、前枠１２の裏面に取付けられる取付板部２ｃ１と、図３，４に示すように前枠用鉤部材２ｂが上方から掛け止められる掛受部２ｃ２を有している。
【００１９】
ガラス枠用鉤部材３ｃは、図５，６に示すように金属板製であって、取付板部３ｃ１と鉤部３ｃ２と力受片３ｃ３を有している。取付板部３ｃ１は、前枠用受部材２ｃの側面に上下動可能に取付けられる。鉤部３ｃ２は、取付板部３ｃ１の下側前端部から手前方向に突出して、前枠用受部材２ｃに形成された孔２ｃ３に挿通される。力受片３ｃ３は、取付板部３ｃ１の下側後端部から奥側に張出しており、図３，４に示すようにガラス枠用作動杆３ａの力付与部３ａ１の上側に位置し、力付与部３ａ１によって押上げられ得る。
【００２０】
ガラス枠用鉤部材３ｃは、図３，４に示すようにガラス枠１３を前枠１２に対して閉じた位置にすることで、ガラス枠用受部材３ｄに形成された開口部３ｄ１に突入する。そしてスプリング６の付勢力によってガラス枠用受部材３ｄに係止する。これによりガラス枠用施錠装置３は、施錠状態になる。そして前枠用施錠装置２と雄雌施錠装置５は、前枠１２を外枠１１に対して閉じた位置にすることで施錠状態になる。
【００２１】
前枠用施錠装置２と雄雌施錠装置５を解錠させる場合は、先ずシリンダ錠４の鍵穴に鍵を挿入し、鍵を右に回す。これにより図４に示すように錠軸４ａとともにカム４ｂが回動し、カム４ｂが前枠用作動杆２ａを押下げる。その結果、図７に示すように前枠用作動杆２ａによって前枠用鉤部材２ｂが傾動し、前枠用鉤部材２ｂが前枠用受部材２ｃから掛止解除され、前枠用施錠装置２が解錠状態になる。また同時に、雄雌施錠装置５も錠軸４ａに連動して解錠状態になる。これにより前枠１２が外枠１１に対して解錠状態になる。
【００２２】
ガラス枠用施錠装置３を解錠させる場合は、先ず、シリンダ錠４の鍵穴に鍵を挿入し、鍵を左に回す。これにより図３，４に示すように錠軸４ａが回動してカム４ｂがガラス枠用作動杆３ａを押上げる。その結果、ガラス枠用作動杆３ａによって一対のガラス枠用鉤部材３ｃが上方に移動し、一対のガラス枠用鉤部材３ｃがガラス枠用受部材３ｄから掛止解除される。これによりガラス枠用施錠装置３が解錠状態になり、ガラス枠１３を前枠１２に対して開くことができる。
【００２３】
以上のようにして実施の形態が形成されている。すなわちガラス枠用施錠装置３は、図３，４に示すように外枠１１に取付けられるガラス枠用作動杆３ａと、前枠１２に取付けられる一対のガラス枠用鉤部材３ｃと、ガラス枠１３に固定される一対のガラス枠用受部材３ｄとを有している。そしてガラス枠用作動杆３ａがシリンダ錠４の錠軸４ａに連動するカム４ｂによってスライドし、ガラス枠用作動杆３ａによって一対のガラス枠用鉤部材３ｃを移動させる構成になっている。
【００２４】
したがって一対の鉤部材３ｃと受部材３ｄによってガラス枠１３を前枠１２に対して施錠する。そのため一対の鉤部材３ｃを前枠１２の上部と下部に設けることでガラス枠１３を前枠１２に対して安定良く施錠すると同時に、前枠１２の端部の上下中央位置におけるスペースを確保することができる。かくして遊技盤等の前枠１２への設置がしやすくなる。またガラス枠１３は、前枠１２に対して一対の鉤部材３ｃと受部材３ｄによって施錠されるために、一つのガラス枠施錠具によって施錠される従前のものに比べて不正解錠され難い。
【００２５】
施錠装置１は、図４に示すようにガラス枠１３に取付けられるシリンダ錠４を有している。ところでガラス枠１３は、遊技機の部品が多く装着される前枠１２や外枠１１に比べて取付けられる部品点数が少ない。そのためガラス枠１３にシリンダ錠４を取付けやすく、そして前枠１２等には遊技機の部品を組付け易い。
【００２６】
また図３，４に示すように前枠用施錠装置２の前枠用受部材２ｃと、ガラス枠用施錠装置３のガラス枠用鉤部材３ｃとが一体に前枠１２に取付けられる構成になっている。したがってこれらを前枠１２に対して容易に組付けることができる。そして施錠装置１は、従前にない構成部品から構成されているために、前枠用受部材２ｃとガラス枠用鉤部材３ｃとが一体化され得る構成になっている。
【００２７】
（他の実施の形態）
本発明は、上記実施の形態に限定されず、以下の形態等であっても良い。
（１）例えば上記実施の形態のガラス枠用鉤部材３ｃは、前枠用受部材２ｃに対して上下に移動可能に取付けられる形態であった。しかしガラス枠用鉤部材が前枠用受部材に対して上下に傾動可能に取付けられる形態であっても良い。
（２）上記実施の形態の前枠用鉤部材２ｂは、外枠１１に対して上下に傾動可能に取付けられる形態であった。しかし前枠用鉤部材が外枠に対して上下に移動可能に取付けられる形態であっても良い。
【図面の簡単な説明】
【００２８】
【図１】遊技機の分解斜視図である。
【図２】外枠施錠具の分解斜視図である。
【図３】施錠装置の一部斜視図である。
【図４】施錠装置の一部斜視図である。
【図５】前枠施錠具の分解斜視図である。
【図６】前枠施錠具の斜視図である。
【図７】施錠解錠状態を示す施錠装置の一部断面図である。
【符号の説明】
【００２９】
１・・・施錠装置
１ａ・・・外枠施錠具
１ｂ・・・前枠施錠具
２・・・前枠用施錠装置
２ａ・・・前枠用作動杆
２ｂ・・・前枠用鉤部材
２ｃ・・・前枠用受部材
３・・・ガラス枠用施錠装置
３ａ・・・ガラス枠用作動杆
３ｃ・・・ガラス枠用鉤部材
３ｄ・・・ガラス枠用受部材
４・・・シリンダ錠
４ａ・・・錠軸
４ｂ・・・カム
５・・・雄雌施錠装置
６，７・・・スプリング
１０・・・遊技機
１１・・・外枠
１１ｆ・・・補強枠部材
１２・・・前枠
１３・・・ガラス枠
【図１】
2008284196.tif 000003
【図２】
2008284196.tif 000004
【図３】
2008284196.tif 000005
【図４】
2008284196.tif 000006
【図５】
2008284196.tif 000007
【図６】
2008284196.tif 000008
【図７】
2008284196.tif 000009